(57)【特許請求の範囲】
【請求項１】
異なる用途の複数の水処理装置に提供する分離膜エレメントを選定する分離膜エレメント選定装置であって、
前記水処理装置において再使用される複数の分離膜エレメントを識別する分離膜識別情報と、当該分離膜エレメントが使用された前記水処理装置を識別する水処理装置識別情報とが対応付けられて記憶される分離膜情報記憶部と、
再使用する前記分離膜エレメントの提供対象である前記水処理装置を識別する水処理装置識別情報が記憶される水処理装置情報記憶部と、
前記水処理装置情報記憶部に記憶されている前記水処理装置識別情報に応じて、定められた水処理装置識別情報に対応付けられて前記分離膜情報記憶部に記憶されている前記分離膜識別情報を読み出す分離膜エレメント選定部と、
を備え、
前記水処理装置情報記憶部には、前記分離膜エレメントの提供対象である水処理装置における忌避成分と、前記水処理装置の原水における原水含有成分が、前記水処理装置識別情報に対応付けられて記憶され、
前記分離膜エレメント選定部は、前記忌避成分と、前記分離膜情報記憶部に記憶された前記水処理装置識別情報に対応付けられて前記水処理装置情報記憶部に記憶されている前記原水含有成分とを比較して、前記忌避成分が前記原水含有成分に含まれない前記水処理装置において使用された前記分離膜エレメントを識別する分離膜識別情報を読み出す
ことを特徴とする分離膜エレメント選定装置。
【請求項２】
異なる用途の複数の水処理装置に提供する分離膜エレメントを選定する分離膜エレメント選定装置であって、
前記水処理装置において再使用される複数の分離膜エレメントを識別する分離膜識別情報と、当該分離膜エレメントが使用された前記水処理装置を識別する水処理装置識別情報とが対応付けられて記憶される分離膜情報記憶部と、
再使用する前記分離膜エレメントの提供対象である前記水処理装置を識別する水処理装置識別情報が記憶される水処理装置情報記憶部と、
前記水処理装置情報記憶部に記憶されている前記水処理装置識別情報に応じて、定められた水処理装置識別情報に対応付けられて前記分離膜情報記憶部に記憶されている前記分離膜識別情報を読み出す分離膜エレメント選定部と、
を備え、
前記分離膜情報記憶部には、使用された前記分離膜エレメントが洗浄された後に性能が検査された検査日が前記分離膜識別情報に対応付けられて記憶され、
前記分離膜エレメント選定部は、前記分離膜情報記憶部に記憶されている前記分離膜識別情報が複数存在する場合、当該分離膜識別情報に対応する前記検査日からの経過期間を算出し、当該複数の分離膜識別情報のうち、算出した経過期間が長い前記分離膜識別情報を読み出す
ことを特徴とする分離膜エレメント選定装置。
【請求項３】
前記水処理装置情報記憶部には、前記分離膜エレメントの提供対象である前記水処理装置において要求される前記分離膜エレメントの性能の度合いを示す要求性能が記憶され、
前記分離膜情報記憶部には、使用された前記分離膜エレメントが洗浄された後に性能が検査された検査結果が前記分離膜識別情報に対応付けられて記憶され、
前記分離膜エレメント選定部は、前記水処理装置情報記憶部に記憶された前記要求性能と、前記分離膜情報記憶部に記憶された前記検査結果とを比較して、前記要求性能に対応する前記検査結果に対応付けられた前記分離膜識別情報を読み出す
ことを特徴とする請求項１または請求項２に記載の分離膜エレメント選定装置。
【請求項４】
異なる用途の複数の水処理装置において再使用される複数の分離膜エレメントを識別する分離膜識別情報と、当該分離膜エレメントが使用された前記水処理装置を識別する水処理装置識別情報とが対応付けられて記憶される分離膜情報記憶部と、再使用する前記分離膜エレメントの提供対象である前記水処理装置を識別する水処理装置識別情報と、当該水処理装置識別情報によって識別される前記水処理装置における忌避成分と、前記水処理装置の原水における原水含有成分とが対応付けられて記憶される水処理装置情報記憶部とを備える分離膜エレメント選定装置の分離膜エレメント選定方法であって、
前記忌避成分と、前記分離膜情報記憶部に記憶された前記水処理装置識別情報に対応付けられて前記水処理装置情報記憶部に記憶されている前記原水含有成分とを比較して、前記忌避成分が前記原水含有成分に含まれない前記水処理装置において使用された前記分離膜エレメントを識別する分離膜識別情報を読み出すステップ
を含むことを特徴とする分離膜エレメント選定方法。
【請求項５】
異なる用途の複数の水処理装置において再使用される複数の分離膜エレメントを識別する分離膜識別情報と、当該分離膜エレメントが使用された前記水処理装置を識別する水処理装置識別情報と、使用された前記分離膜エレメントが洗浄された後に性能が検査された検査日とが対応付けられて記憶される分離膜情報記憶部と、再使用する前記分離膜エレメントの提供対象である前記水処理装置を識別する水処理装置識別情報が記憶される水処理装置情報記憶部とを備える分離膜エレメント選定装置の分離膜エレメント選定方法であって、
前記水処理装置情報記憶部に記憶されている前記水処理装置識別情報に応じて、定められた水処理装置識別情報に対応付けられて前記分離膜情報記憶部に記憶されている前記分離膜識別情報を読み出し、前記分離膜情報記憶部に記憶されている前記分離膜識別情報が複数存在する場合、当該分離膜識別情報に対応する前記検査日からの経過期間を算出し、当該複数の分離膜識別情報のうち、算出した経過期間が長い前記分離膜識別情報を読み出すステップ
を含むことを特徴とする分離膜エレメント選定方法。
【発明の詳細な説明】
【技術分野】
【０００１】
本発明は、水処理装置において再使用される分離膜エレメントを選定する技術に関する。
【背景技術】
【０００２】
水を扱う工場などにおいて、水をろ過する分離膜を用いた水処理装置が利用されている。図９は、このような分離膜であるスパイラル型のＲＯ膜（逆浸透膜：Reverse Osmosis Membrane）を有する分離膜エレメント１の例を示す図である。分離膜エレメント１は、透過水集水用のセンターパイプ５に分離膜２をスパイラル状に捲装した構造となっており、分離膜はこのような単位で扱われる。分離膜エレメント１に対して符号ａに示す箇所から水が供給されると、分離膜２を透過した透過水は、センターパイプ５に集水され取り出される。分離膜２を透過しなかった濃縮水は、スパイラル状の分離膜２の膜間を通過し、符号ｂに示す箇所から排出される。
図１０は、このような分離膜エレメント１を用いたろ過装置を示す図である。ここでは、ベッセル（圧力容器）７に、４本の分離膜エレメント１が直列に充填されている。各分離膜エレメント１は、ブラインシール３によってベッセル７内に区画され、コネクタ４によって直列に接続される。ベッセル７に供給水が供給されると、複数のＲＯ膜２を順次透過した透過水が、センターパイプ５から取り出される。最後段の分離膜エレメント１を透過しなかった濃縮水は、濃縮水出口６から排水される。特許文献１には、このようなろ過装置において使用される分離膜エレメントを洗浄して再使用する際に、分離膜の運転時間、洗浄履歴、性能データ等を記憶させたＲＦＩＤ（Radio Frequency IDentification）を分離膜エレメントに装着させて管理する技術が提案されている。
【先行技術文献】
【特許文献】
【０００３】
【特許文献１】特開２００８−２４６２８５号公報
【発明の概要】
【発明が解決しようとする課題】
【０００４】
しかしながら、特許文献１に記載の技術は、ひとつの工場の水処理装置における分離膜エレメント１の再使用を管理するものであり、用途の異なる複数の水処理装置、工場において分離膜エレメント１が再使用されることを想定したものではない。ここで、分離膜エレメント１の資源をより有効に、効率的に使用するためには、用途の異なる複数の水処理装置、工場において使用される分離膜エレメント１を互いに融通し合うことが望ましい。例えば、図１１は、異なる用途で用いられる複数の水処理用のＲＯ（Reverse Osmosis）装置を有する工場の例を示す図である。符号ａ〜ｆに示すように、ＲＯ装置は、冷却塔用、純水用（純水製造用）、排水回収用、廃液濃縮用など、様々な用途で用いられている。ここで、例えば廃液濃縮用の水処理装置で使用された分離膜エレメント１は、洗浄された後であっても、万が一の異物の混入等を避けるためにも純水用の水処理装置においては使用しないように配慮することが望ましいと考えられる。また、工場によっては、例えば金属、鉄、電子部品、食品など異なる物質を扱っていることが考えられる。このとき、例えば金属を扱う工場の水処理装置で用いた分離膜エレメント１は、洗浄された後であっても、食品を扱う工場の水処理装置においては使用しないように配慮することが望ましい。
【０００５】
本発明は、このような状況に鑑みてなされたもので、用途の異なる複数の水処理装置において再使用される分離膜エレメントを効率的かつ安全に選定する分離膜エレメント選定装置、分離膜エレメント選定方法を提供する。
【課題を解決するための手段】
【０００６】
本発明は、異なる用途の複数の水処理装置に提供する分離膜エレメントを選定する分離膜エレメント選定装置であって、水処理装置において再使用される複数の分離膜エレメントを識別する分離膜識別情報と、分離膜エレメントが使用された水処理装置を識別する水処理装置識別情報とが対応付けられて記憶される分離膜情報記憶部と、再使用する分離膜エレメントの提供対象である水処理装置を識別する水処理装置識別情報が記憶される水処理装置情報記憶部と、水処理装置情報記憶部に記憶されている水処理装置識別情報に応じて、定められた水処理装置識別情報に対応付けられて分離膜情報記憶部に記憶されている分離膜識別情報を読み出す分離膜エレメント選定部と、を備えることを特徴とする。
【０００７】
また、本発明は、水処理装置情報記憶部には、分離膜エレメントの提供対象である水処理装置における忌避成分と、水処理装置の原水における原水含有成分が、水処理装置識別情報に対応付けられて記憶され、分離膜エレメント選定部は、忌避成分と、分離膜情報記憶部に記憶された水処理装置識別情報に対応付けられて水処理装置情報記憶部に記憶されている含有成分とを比較して、忌避成分が含有成分に含まれない分離膜エレメントを識別する分離膜識別情報を読み出すことを特徴とする。
【０００８】
また、本発明は、水処理装置情報記憶部には、分離膜エレメントの提供対象である水処理装置において要求される分離膜エレメントの性能の度合いを示す要求性能が記憶され、分離膜情報記憶部には、使用された分離膜エレメントが洗浄された後に性能が検査された検査結果が分離膜識別情報に対応付けられて記憶され、分離膜エレメント選定部は、水処理装置情報記憶部に記憶された要求性能と、分離膜情報記憶部に記憶された検査結果とを比較して、要求性能に対応する検査結果に対応付けられた分離膜識別情報を読み出すことを特徴とする。
【０００９】
また、本発明は、分離膜情報記憶部には、使用された分離膜エレメントが洗浄された後に性能が検査された検査日が分離膜識別情報に対応付けられて記憶され、分離膜エレメント選定部は、分離膜情報記憶部に記憶されている分離膜識別情報が複数存在する場合、分離膜識別情報に対応する検査日からの経過期間を算出し、複数の分離膜識別情報のうち、算出した経過期間が長い分離膜識別情報を読み出すことを特徴とする。
【００１０】
また、本発明は、異なる用途の複数の水処理装置において再使用される複数の分離膜エレメントを識別する分離膜識別情報と、分離膜エレメントが使用された水処理装置を識別する水処理装置識別情報とが対応付けられて記憶される分離膜情報記憶部と、再使用する分離膜エレメントの提供対象である水処理装置を識別する水処理装置識別情報が記憶される水処理装置情報記憶部とを備える分離膜エレメント選定装置の分離膜エレメント選定方法であって、水処理装置情報記憶部に記憶されている水処理装置識別情報に応じて、定められた水処理装置識別情報に対応付けられて分離膜情報記憶部に記憶されている分離膜識別情報を読み出すステップを含むことを特徴とする。
【発明の効果】
【００１１】
以上説明したように、本発明によれば、異なる用途の複数の水処理装置において再使用される複数の分離膜エレメントを識別する分離膜識別情報と、分離膜エレメントが使用された水処理装置を識別する水処理装置識別情報とが対応付けられて記憶される分離膜情報記憶部と、再使用する分離膜エレメントの提供対象である水処理装置を識別する水処理装置識別情報が記憶される水処理装置情報記憶部とを備える分離膜エレメント選定装置が、水処理装置情報記憶部に記憶されている水処理装置識別情報に応じて、定められた水処理装置識別情報に対応付けられて分離膜情報記憶部に記憶されている分離膜識別情報を読み出すようにしたので、用途の異なる複数の水処理装置において再使用される分離膜エレメントを効率的かつ安全に選定することが可能となる。
【図面の簡単な説明】
【００１２】
【図１】本発明の一実施形態による分離膜エレメント選定装置の構成例を示すブロック図である。
【図２】本発明の一実施形態による水処理装置情報記憶部に記憶される水処理装置情報のデータ例を示す図である。
【図３】本発明の一実施形態による分離膜情報記憶部に記憶される分離膜情報のデータ例を示す図である。
【図４】本発明の一実施形態による分離膜エレメント選定処理の動作例を示すフローチャートである。
【図５】本発明の一実施形態による分離膜エレメント選定処理の動作例を示すフローチャートである。
【図６】本発明の一実施形態による分離膜エレメント選定処理の動作例を示すフローチャートである。
【図７】本発明の一実施形態による警告処理の動作例を示すフローチャートである。
【図８】本発明の一実施形態による水処理装置が有する複数の分離膜エレメントを示す図である。
【図９】分離膜エレメントの例を示す図である。
【図１０】分離膜エレメントを用いたろ過装置の例を示す図である。
【図１１】工場が有する複数の水処理装置の例を示す図である。
【発明を実施するための形態】
【００１３】
以下、本発明の一実施形態について、図面を参照して説明する。
図１は、本実施形態による分離膜エレメント選定装置１０の構成を示すブロック図である。ここでは、異なる用途の水処理装置（水処理装置２１−１、水処理装置２１−２、・・・）を備える複数の分離膜使用工場２０（分離膜使用工場２０−１、分離膜使用工場２０−２、・・・)において使用された分離膜エレメント１が、分離膜再生工場３０において洗浄され、性能が検査されて保管されているものとする。分離膜再生工場３０における再検査結果は、分離膜エレメント選定装置１０の入力部１１に入力される。ここで、図１において一点鎖線によって示される情報の経路は、接続されたネットワークを介して情報が通信されるようにしても良いし、ユーザ等によって伝達され入力されるようにしても良い。
分離膜エレメント選定装置１０は、分離膜再生工場３０に保管されている分離膜エレメント１の情報を管理するコンピュータ装置であり、入力部１１と、表示部１２と、水処理装置情報記憶部１３と、分離膜情報記憶部１４と、警告部１５と、分離膜エレメント選定部１６と、検査結果更新部１７とを備えている。
【００１４】
入力部１１は、キーボードやマウスなどの入力デバイスであり、ユーザからのデータ入力を受付ける。
表示部１２は、情報を表示するディスプレイである。
水処理装置情報記憶部１３には、再使用される分離膜エレメント１の提供対象である水処理装置毎に、その水処理装置の属性を示す水処理装置情報が記憶される。
図２は、水処理装置情報記憶部１３に記憶される水処理装置情報のデータ例を示す図である。水処理装置情報には、顧客名と、原水種と、原水含有成分と、忌避成分と、脱塩率レベルと、フラックスレベルと、回収率レベルとの情報が含まれる。ここでは、簡単のため、ひとつの顧客（工場）に対してひとつの水処理装置が設置されているとして顧客単位で水処理装置情報が記憶される例を説明するが、ひとつの顧客の複数の水処理装置毎に水処理装置情報が対応付けられて記憶されるようにしても良い。
【００１５】
水処理装置情報に含まれる顧客名は、分離膜エレメント１の提供対象である顧客を識別する水処理装置識別情報である。原水種は、対応する顧客の水処理装置において処理される原水の種別を示す。例えば、原水種としては、「排水回収」、「純水」、「工水」、「上水」、「井水」、・・・などの種別が考えられる。原水含有成分は、対応する水処理装置の原水が含有する成分を示す。例えば、原水含有成分としては、「Ａｇ」、「Ｃａ」、「Ｎａ」、「ＴＯＣ」、「Ｆｅ」、・・・などの成分が考えられる。忌避成分は、対応する水処理装置において忌避される成分である。すなわち、忌避成分が含まれる原水において使用された分離膜エレメントは、対応する水処理装置において再使用しないように選定される。例えば、忌避成分としては、「Ａｇ」、「Ａｓ」、「Ｈｇ」、「Ｐｂ」などが適用できる。
【００１６】
水処理装置情報に含まれる脱塩率レベル（Ｌ１）、フラックスレベル（Ｌ２）、回収率レベル（Ｌ３）は、対応する顧客の水処理装置において要求される分離膜エレメント１の要求性能を示す。脱塩率は、分離膜エレメント１の塩類（イオン成分）の除去率であり、脱塩性能を示す。フラックスは、分離膜エレメント１の透過性能（透過流束）を示す。回収率は、分離膜エレメント１への供給水量に対する透過水量の割合を示す。ここでは、それぞれのレベルをＡ〜Ｄに分類しており、レベルＡはより性能が高いことを示し、レベルＤはより性能が低いことを示す。
【００１７】
例えば、脱塩率レベルは、「Ｌ１Ａ≧９７％＞Ｌ１Ｂ≧９５％＞Ｌ１Ｃ≧９２％＞Ｌ１Ｄ」のように定義される。すなわち、「Ｌ１Ａ」は、脱塩率が９７％以上であることを示す。「Ｌ１Ｂ」は、９７％未満、９５％以上であることを示す。「Ｌ１Ｃ」は、９５％未満、９２％以上であることを示す。「Ｌ１Ｄ」は、９２％未満であることを指す。
フラックスレベルは、「Ｌ２Ａ≧１．２＞Ｌ２Ｂ≧１．０＞Ｌ２Ｃ≧０．８＞Ｌ２Ｄ」のように定義される。すなわち、「Ｌ２Ａ」は、フラックスが１．２ｍ３／（ｍ２・日）以上であることを示す。「Ｌ２Ｂ」は、１．２ｍ３／（ｍ２・日）未満、１．０ｍ３／（ｍ２・日）以上であることを示す。「Ｌ２Ｃ」は、１．０ｍ３／（ｍ２・日）未満、０．８ｍ３／（ｍ２・日）以上であることを示す。「Ｌ２Ｄ」は、０．８ｍ３／（ｍ２・日）未満であることを指す。ここでは、フラックスを、単位膜面積当たり１日にろ過できる水量によって示す。
回収率レベルは、「Ｌ３Ａ≧７０％＞Ｌ３Ｂ≧６０％＞Ｌ３Ｃ≧５０％＞Ｌ３Ｄ」のように定義される。すなわち、「Ｌ３Ａ」は、脱塩率が７０％以上であることを示す。「Ｌ３Ｂ」は、７０％未満、６０％以上であることを示す。「Ｌ３Ｃ」は、６０％未満、５０％以上であることを示す。「Ｌ３Ｄ」は、５０％未満であることを指す。
【００１８】
図１に戻り、分離膜情報記憶部１４には、水処理装置において再使用される分離膜エレメント毎に、分離膜エレメントの属性を示す情報が対応付けられた分離膜情報が記憶される。図３は、分離膜情報のデータ例を示す図である。分離膜情報には、膜ＩＤと、顧客名履歴（履歴１と、履歴２と、履歴３、・・・履歴ｎ）と、脱塩率レベルと、フラックスレベルと、回収率レベルと、予約コードと、検査日と、予約先と、納期との情報が含まれる。
【００１９】
分離膜情報に含まれる膜ＩＤは、水処理装置において再使用される分離膜エレメント１を識別する分離膜識別情報である。膜ＩＤは、対応する分離膜エレメント１に対して、刻印、シール、バーコード、二次元コード、ＲＦＩＤなどに書き込まれて装着される。顧客名履歴（履歴１、履歴２、履歴３、・・・履歴ｎ）としては、対応する分離膜エレメント１が使用された水処理装置を有する顧客の顧客名が記憶される。ここには、対応する分離膜エレメント１が複数回に亘り水処理装置において使用されていれば、使用される毎に履歴が記憶される。脱塩率レベル、フラックスレベル、回収率レベルは、水処理装置情報に含まれる同名の情報に対応し、使用済みの分離膜エレメント１が再生洗浄された後の性能の検査結果であり、対応する分離膜エレメントの性能の程度を示す。予約コードは、分離膜再生工場３０に保管された分離膜エレメント１が、水処理装置において利用されることが予約されていることを示す識別情報である。
【００２０】
分離膜情報に含まれる検査日は、分離膜エレメント１が検査された日を示す。予約先は、対応する分離膜エレメント１の再使用を予約した顧客名を示す。納期は、対応する分離膜エレメント１を、予約した顧客に納品する期日を示す。ここで、分離膜エレメント１が要求される場合に、要求される用途、性能に応じた分離膜エレメント１が分離膜情報記憶部１４に記憶されていない場合には、新規に未使用の分離膜エレメント１を適用することになる。このような場合、新規の分離膜エレメント１を予約することを示す情報が、分離膜情報記憶部１４に記憶される。例えば、この図では、膜ＩＤが「ｎｅｗ」の行は、このような新規の分離膜エレメント１が予約されていることを示す。
【００２１】
図１に戻り、警告部１５は、分離膜情報記憶部１４に記憶されている検査日からの経過期間と、予め定められた限度期間とを比較し、経過期間が限度期間を超えると判定すると警告を出力する。限度期間は、洗浄後の分離膜エレメント１の性能が劣化する期間に応じて予め定められて警告部１５の記憶領域に記憶されており、例えば２年である。ここで、警告部１５は、例えば一日一回定められた時間などに、定期的に警告処理を行う。警告部１５は、計時機能を備えており、定められた時間になると、計時機能により現在日時を示す情報を読み出し、検査日から現在日時までの経過期間を算出する。また、警告部１５は、自身の記憶領域に経過期間の限度期間が予め記憶されており、算出した経過期間と、予め定められた限度期間とを比較する。警告部１５は、算出した経過期間が、予め定められた限度期間よりも小さいと判断すれば、警告を出力しない。一方、算出した経過期間が、予め定められた限度期間よりも大きいと判断すれば、警告を出力する。
【００２２】
ここで、警告部１５が出力する警告は、例えば、予め定められた管理者の宛先に、定められた文面の電子メールを送信するようにしても良いし、分離膜エレメント選定装置１０にユーザがログインしたときに分離膜エレメント選定装置１０の表示部１２に定められた文面を表示させるようにしても良い。警告の文面には、経過期間が限度期間を経過した分離膜エレメントの分離膜識別情報や、分離膜再生工場３０において保管されている位置などの情報が記載されるようにしても良い。これにより、例えば、分離膜エレメント１の管理者などに、分離膜エレメント１が、性能が劣化するほどの長期間に亘り保管されていることを知らせることができ、複数の分離膜エレメント１の在庫期間ができるだけ均等になるように管理することが可能となる。
【００２３】
分離膜エレメント選定部１６は、水処理装置情報記憶部１３に記憶されている水処理装置情報と、入力部１１に入力される情報とに対応する分離膜情報を、分離膜情報記憶部１４に記憶されている分離膜情報から選定し、表示部１２に表示させる。ここで、分離膜エレメント選定部１６は、再使用する分離膜エレメントの提供対象である水処理装置を識別する水処理装置識別情報に応じて定められた水処理装置識別情報に対応付けられて分離膜情報記憶部１４に記憶された分離膜識別情報を、選定対象の分離膜識別情報として読み出す。例えば、分離膜エレメント選定部１６は、分離膜エレメントを再使用する水処理装置に対応する顧客名に対応付けられて水処理装置情報記憶部１３に記憶されている忌避成分と、分離膜情報記憶部１４に記憶される原水含有成分とを比較して、忌避成分が原水含有成分に含まれない分離膜識別情報を選定対象として読み出す。
【００２４】
検査結果更新部１７は、警告部１５が警告を出力した後、入力部１１に、経過期間が限度期間を超えると判定された分離膜エレメントが再検査されたことを示す再検査結果が入力されると、入力された再検査結果に応じて、分離膜情報記憶部１４に記憶されている検査日等の検査結果を更新する。例えば、検査結果更新部１７は、入力部１１に、再検査された分離膜エレメント１の膜ＩＤと、その検査結果である脱塩率、フラックスレベル、回収率レベル、検査日などとが入力されると、対応する膜ＩＤの分離膜情報を更新する。
【００２５】
次に、図面を参照して、本実施形態の分離膜エレメント選定装置１０の動作例を説明する。図４〜図６は、本実施形態の分離膜エレメント選定装置１０による分離膜エレメント選定処理の動作例を示すフローチャートである。
まず、図４において、分離膜エレメント選定装置１０の入力部１１が、ユーザから入力される顧客名と、必要本数と、希望納期との情報を受付ける（ステップＳ１）。顧客名は、再生工場に保管された分離膜エレメント１の提供を希望する顧客を示す情報である。必要本数は、提供を希望する分離膜エレメント１の数である。希望納期は、顧客が希望する分離膜エレメント１の納期である。ここでは、顧客名として「Ｅ薬品」が、必要本数として「２」が、希望納期として「１０／０５／１０」（yy/mm/dd形式）が入力されたとして、以下、説明する。
【００２６】
分離膜エレメント選定部１６は、分離膜情報記憶部１４から、予約先が未登録である分離膜情報を選定候補の分離膜情報として読み出す（ステップＳ２）。ここでは、膜ＩＤ「０００２」と、膜ＩＤ「０００９」の分離膜情報には予約先が登録されているため、膜ＩＤ「０００１」、「０００３」〜「０００８」の７件の分離膜情報を選定候補として読み出す。また、分離膜エレメント選定部１６は、ステップＳ１において入力された顧客名に対応する水処理装置情報を、水処理装置情報記憶部１３から読み出す（ステップＳ３）。ここでは、「Ｅ薬品」に対応する水処理装置情報を読み出す。
【００２７】
そして、分離膜エレメント選定部１６は、読み出した水処理装置情報に、忌避成分が対応付けられているか否かを判定する（ステップＳ４）。忌避成分が対応付けられていないと判定すれば（ステップＳ４：なし）、ステップＳ７に進む。一方、忌避成分が対応付けられていると判定すれば（ステップＳ４：あり）、分離膜エレメント選定部１６は、水処理装置情報記憶部１３から、原水含有成分に忌避成分を含む忌避対象の水処理装置情報を読み出す（ステップＳ５）。ここでは、水処理装置情報における「Ｅ薬品」は、「ＴＯＣ」と「Ａｓ」との忌避成分が対応付けられている。そこで、分離膜エレメント選定部１６は、原水含有成分に「ＴＯＣ」を含む顧客名「Ｃ製鉄」と、原水含有成分に「Ａｓ」を含む顧客名「Ｇ化学」とを読み出す。
【００２８】
分離膜エレメント選定部１６は、選定候補の分離膜情報（膜ＩＤ「０００１」、「０００３」〜「０００８」）から、顧客名履歴に忌避対象の顧客名（「Ｃ製鉄」、「Ｇ化学」）を含まない分離膜情報を、選定候補として抽出する（ステップＳ６）。ここでは、膜ＩＤ「０００１」の分離膜情報の顧客名履歴には「Ｃ製鉄」が含まれており、膜ＩＤ「０００６」、「０００７」の分離膜情報の顧客名履歴には「Ｇ化学」が含まれているので、これらを除外し、膜ＩＤ「０００３」〜「０００５」、「０００８」の４件の分離膜情報を選定候補として読み出す。
【００２９】
分離膜エレメント選定部１６は、ステップＳ１において入力された必要本数と、選定候補の分離膜情報の数とを比較し、必要本数に対応する数の選定候補の分離膜情報が存在するか否かを判定する（ステップＳ７）。分離膜エレメント選定部１６が、必要本数に対応する数の選定候補の分離膜情報が存在しないと判定すると（ステップＳ７：なし）、図６のステップＳ２３に進む。分離膜エレメント選定部１６は、必要本数と、選定候補の分離膜情報の数との差分を、分離膜エレメント１の不足本数として、表示部１２に表示させる（ステップＳ２３）。分離膜エレメント選定部１６は、分離膜エレメント１の不足本数に対応する新膜予約レコードを、分離膜情報記憶部１４に記憶させる（ステップＳ２４）。
【００３０】
図４に戻り、分離膜エレメント選定部１６が、必要本数に対応する数の選定候補の分離膜情報が存在すると判定すると（ステップＳ７：あり）、「Ｅ薬品」の水処理装置情報から脱塩率レベルを取得する（ステップＳ８）。ここでは、必要本数は「２」であり、選定候補の分離膜情報の数は４件であるから、必要本数に対応する数の選定候補の分離膜情報が存在すると判定し、「Ｅ薬品」に対応する脱塩率レベルである「Ｌ１Ｂ」を読み出す。そして、分離膜エレメント選定部１６は、選定候補の分離膜情報から、脱塩率レベルが一致する分離膜情報を、選定候補として抽出する（ステップＳ９）。ここでは、選定候補の４件の分離膜情報（膜ＩＤ「０００３」〜「０００５」、「０００８」）のうち、脱塩率レベル「Ｌ１Ｂ」に一致する膜ＩＤ「０００４」の分離膜情報を、選定候補として抽出する。
【００３１】
分離膜エレメント選定部１６は、必要本数に対応する数の選定候補の分離膜情報が存在するか否かを判定する（ステップＳ１０）。ここで、必要本数に対応する数の選定候補の分離膜情報が存在しないと判定すると（ステップＳ１０：なし）、上位の脱塩率レベルが存在するか否かを判定する（ステップＳ１１）。ここで、分離膜エレメント選定部１６が、上位の脱塩率レベルが存在しないと判定すれば（ステップＳ１１：なし）、ステップＳ２３に進む。上位の脱塩率レベルが存在すると判定すれば（ステップＳ１１：あり）、分離膜エレメント選定部１６は、１段階上の脱塩率レベルに一致する分離膜情報を読み出し、選定候補の分離膜情報に加える（ステップＳ１２）。ここでは、ステップＳ１０において、選定候補の分離膜情報は１件（膜ＩＤ「０００４」）のみであり、必要本数「２」に満たないので、ステップＳ１２に進み、上位の脱塩率レベル「Ｌ１Ａ」に対応する膜ＩＤ「０００８」の分離膜情報を、選定候補に加える。これにより、選定候補の分離膜情報の数は２件（膜ＩＤ「０００４」、「０００８」）となり、必要本数「２」を満たす。
【００３２】
ステップＳ１０において、必要本数に対応する数の選定候補の分離膜情報が存在すると判定すると（ステップＳ１０：あり）、図５に進み、分離膜エレメント選定部１６は、「Ｅ薬品」の水処理装置情報に対応するフラックスレベルを取得する（ステップＳ１３）。ここでは、「Ｅ薬品」に対応するフラックスレベルである「Ｌ２Ｃ」を読み出す。そして、分離膜エレメント選定部１６は、選定候補の分離膜情報から、フラックスレベルが一致する分離膜情報を、選定候補として抽出する（ステップＳ１４）。ここでは、選定候補の２件の分離膜情報（膜ＩＤ「０００４」、「０００８」）のうち、いずれもがフラックスレベル「Ｌ２Ｃ」に一致し、いずれもの分離膜情報を、選定候補とする。
【００３３】
分離膜エレメント選定部１６は、必要本数に対応する数の選定候補の分離膜情報が存在するか否かを判定する（ステップＳ１５）。ここで、必要本数に対応する数の選定候補の分離膜情報が存在しないと判定すると（ステップＳ１５：なし）、上位のフラックスレベルが存在するか否かを判定する（ステップＳ１６）。ここで、分離膜エレメント選定部１６が、上位のフラックスレベルが存在しないと判定すれば（ステップＳ１６：なし）、ステップＳ２３に進む。上位のフラックスレベルが存在すると判定すれば（ステップＳ１６：あり）、分離膜エレメント選定部１６は、選定候補の分離膜情報に、１段階上のフラックスレベルに一致する分離膜情報を加える（ステップＳ１７）。ステップＳ１５において、必要本数に対応する数の選定候補の分離膜情報が存在すると判定すると（ステップＳ１５：あり）、分離膜エレメント選定部１６は、「Ｅ薬品」の水処理装置情報から、回収率レベルを取得する（ステップＳ１８）。ここでは、ステップＳ１５において、選定候補の分離膜情報は２件（膜ＩＤ「０００４」、「０００８」）であり、必要本数「２」を満たすので、ステップＳ１８に進む。
【００３４】
ここでは、「Ｅ薬品」に対応する回収率レベルである「Ｌ３Ｃ」を読み出す。そして、分離膜エレメント選定部１６は、選定候補の分離膜情報から、回収率レベルが一致する分離膜情報を、選定候補として抽出する（ステップＳ１９）。ここでは、選定候補の２件の分離膜情報（膜ＩＤ「０００４」、「０００８」）のうち、いずれもが回収率レベル「Ｌ３Ｃ」に一致し、いずれもの分離膜情報を、選定候補とする。
【００３５】
分離膜エレメント選定部１６は、必要本数に対応する数の選定候補の分離膜情報が存在するか否かを判定する（ステップＳ２０）。ここで、必要本数に対応する数の選定候補の分離膜情報が存在しないと判定すると（ステップＳ２０：なし）、上位の回収率レベルが存在するか否かを判定する（ステップＳ２１）。ここで、分離膜エレメント選定部１６が、上位の回収率レベルが存在しないと判定すれば（ステップＳ２１：なし）、ステップＳ２３に進む。上位の回収率レベルが存在すると判定すれば（ステップＳ２１：あり）、分離膜エレメント選定部１６は、選定候補の分離膜情報に、１段階上の回収率レベルに一致する分離膜情報を加える（ステップＳ２２）。
【００３６】
ステップＳ２０において、必要本数に対応する数の選定候補の分離膜情報が存在すると判定すると（ステップＳ２０：あり）、図６に進み、選定候補の分離膜情報から、検査日が古い順に必要本数の分離膜情報を選定する（ステップＳ２５）。ここでは、ステップＳ２２において、選定候補の分離膜情報は２件（膜ＩＤ「０００４」、「０００８」）であり、必要本数「２」を満たすので、ステップＳ２５に進む。選定候補の２件の分離膜情報（膜ＩＤ「０００４」、「０００８」）は、検査日が同一であり、いずれもの分離膜情報を、同様に選定する。そして、分離膜エレメント選定部１６は、選定した２件の分離膜情報に、新規の予約コード、顧客名、希望納期を登録し、分離膜情報記憶部１４に記憶させる（ステップＳ２６）。ここでは、例えば、新規の予約コードとして「１００１−０４」と「１００１−０５」とを、予約先として「Ｅ薬品」を、納期として「１０／０５／１０」を記憶させる。
【００３７】
図７は、本実施形態の分離膜エレメント選定装置１０による警告処理の例を示すフローチャートである。
警告部１５は、定められた時間になると、分離膜情報記憶部１４に記憶されている分離膜情報を読み出す（ステップＳ３０）。警告部１５は、読み出した分離膜情報に含まれる検査日から現在日時までの経過期間を算出し（ステップＳ３１）、経過期間が、予め定められた限度期間を超えるか否かを判定する（ステップＳ３２）。ここで、警告部１８が、経過期間が予め定められた限度期間を超えると判定すると（ステップＳ３２：ＹＥＳ）、警告を出力する（ステップＳ３３）。経過期間が予め定められた限度期間を超えないと判定すると（ステップＳ３２：ＮＯ）、警告を出力せず、処理を終了する。
【００３８】
なお、本実施形態では、スパイラル型のＲＯ膜を例として説明したが、同様の他の分離膜についても、本実施形態と同様の構成により再使用を管理するようにしても良い。
また、本実施形態では、水処理装置毎に分離膜情報を管理するようにしたが、同一の水処理装置内における複数の分離膜エレメント１を、設置された位置に応じて管理するようにしても良い。例えば、図８に示されるように、直列に接続された複数の分離膜エレメント１を、供給水側から透過水側にＡ−１、Ａ−２、・・・のように設置位置の識別情報を付与し、設置位置の識別情報毎に洗浄、検査結果などの管理を行うようにしても良い。
また、本実施形態では、分離膜情報記憶部１４に顧客名履歴を記憶しているが、使用された現場の原水含有成分を蓄積した原水含有成分履歴を記憶して、水処理装置情報記憶部１３の忌避成分と関連付けて忌避対象の原水含有性分履歴を含まない分離膜情報を選定候補として抽出するようにしても良い。
以上説明したように、本実施形態によれば、異なる用途の複数の水処理装置に提供する分離膜エレメントを、効率的かつ安全に再使用することが可能となる。
【００３９】
なお、本発明における処理部の機能を実現するためのプログラムをコンピュータ読み取り可能な記録媒体に記録して、この記録媒体に記録されたプログラムをコンピュータシステムに読み込ませ、実行することにより分離膜エレメントの選定を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４１】
１０  分離膜エレメント選定装置
１１  入力部
１２  表示部
１３  水処理装置情報記憶部
１４  分離膜情報記憶部
１５  警告部
１６  分離膜エレメント選定部
１７  検査結果更新部
２０  分離膜使用工場
２１  水処理装置
３０  分離膜再生工場
【図１】
0005499843.tif 000002
【図２】
0005499843.tif 000003
【図３】
0005499843.tif 000004
【図４】
0005499843.tif 000005
【図５】
0005499843.tif 000006
【図６】
0005499843.tif 000007
【図７】
0005499843.tif 000008
【図８】
0005499843.tif 000009
【図９】
0005499843.tif 000010
【図１０】
0005499843.tif 000011
【図１１】
0005499843.tif 000012